(57)【特許請求の範囲】
【請求項１】
矩形に形成され、文字および画像等を表示する表示領域と、前記表示領域に沿って光を出射する発光部と、該発光部と前記表示領域を介して対向配置された反射部と、該反射部で反射した光を受光する受光部とを有する光遮断検出装置を備えた表示装置において、
複数台の前記光遮断検出装置を、互いの表示領域がほぼ連続するように連接し、その境界部を両面に前記反射部が設けられた仕切部材により仕切られているとともに、前記反射板の表示領域側の端部が該表示領域の表面より内側に位置していることを特徴とする表示装置。
【請求項２】
請求項１に記載の表示装置において、前記光遮断検出装置が前記発光部とそれと組みをなす受光部が前記表示領域の異なる位置に２組以上設けられていることを特徴とする表示装置。
【請求項３】
請求項１または２に記載の表示装置において、前記光遮断検出装置が前記発光部からの光を、前記表示領域上を進行するに従って拡大する光学系を有することを特徴とする表示装置。
【請求項４】
請求項１または２に記載の表示装置において、前記光遮断検出装置が前記発光部からの光を前記表示領域上で走査する光走査手段を有することを特徴とする表示装置。
【請求項５】
請求項１ないし４の何れか１つに記載の表示装置において、前記表示領域に対して立てる方向に配置した光透過性のカバー部材を有し、該カバー部材の表示領域側の端部が該表示領域の表面より内側に位置していることを特徴とする表示装置。
【請求項６】
矩形に形成され、文字および画像等を表示する表示領域と、前記表示領域に沿って光を出射する発光部と、該発光部と前記表示領域を介して対向配置された反射部と、該反射部で反射した光を受光する受光部とを有する光遮断検出装置を備えた表示装置において、
複数台の前記光遮断検出装置を、互いの表示領域がほぼ連続するように連接し、その境界部を両面に前記反射部が設けられた仕切部材により仕切られているとともに、前記表示領域に対して立てる方向に配置した光透過性のカバー部材とを有し、該カバー部材の表示領域側の端部が該表示領域の表面より内側に位置していることを特徴とする表示装置。
【請求項７】
請求項６に記載の表示装置において、前記光遮断検出装置が前記発光部とそれと組みをなす受光部が前記表示領域の異なる位置に２組以上設けられていることを特徴とする表示装置。
【請求項８】
請求項６または７に記載の表示装置において、前記光遮断検出装置が前記発光部からの光を、前記表示領域上を進行するに従って拡大する光学系を有することを特徴とする表示装置。
【請求項９】
請求項６または７に記載の表示装置において、前記光遮断検出装置が前記発光部からの光を前記表示領域上で走査する光走査手段を有することを特徴とする表示装置。
【発明の詳細な説明】
【０００１】
【発明の属する技術分野】
本発明は、文字および画像等が表示される表示領域を通過する光が遮断されたとき、該遮断位置の検出する光遮断検出装置および大画面装置付タッチパネル、電子黒板、テレビ会議システム等の表示装置に関するものである。
【０００２】
【従来の技術】
従来、コンピュータシステムによる情報が表示される表示面を指等で指示することにより、コンピュータシステムに対して種々の指示を与えたり、新たな情報を入力することができる情報の表示装置が知られている。かかる装置は、所謂タッチパネルと称される表示面を有するものであって、該タッチパネルには指等でタッチした位置の座標を検出する座標検出手段を備えている。
【０００３】
タッチパネルにおける座標検出は、従来から様々な方式が提案されているが、近年では大型画面に適用してもコスト等の点で有利で、しかも検出精度が良好な光を用いた方式のものが注目されている。この方式の装置は、発光部と受光部を持ち、発光部より表示面に沿って出射された光が指等で遮られた位置を検出する光遮断検出装置を備えているものである。
【０００４】
ところで、近年、さらに大きな表示画面を有するタッチパネルが要望されている。
【発明が解決しようとする課題】
【０００５】
しかしながら、表示画面を大きくすること自体に困難であり、また、例え、巨大な表示画面が得られたとしても、光は減衰するのでその画面上で光が遮られた位置の座標を検出する精度が大幅に低下し、要望されているような表示画面が大きいタッチパネルがかなり難しいのが現状である。
【０００６】
本発明は、上記した従来の事情に鑑み、光遮断検出装置の精度を低下させることなく、大きな表示領域を有する表示装置を提供することを目的とする。
【課題を解決するための手段】
【０００７】
上記の目的を達成するため、本発明は、矩形に形成され、文字および画像等を表示する表示領域と、前記表示領域に沿って光を出射する発光部と、該発光部と前記表示領域を介して対向配置された反射部と、該反射部で反射した光を受光する受光部とを有する光遮断検出装置を備えた表示装置において、複数台の前記光遮断検出装置を、互いの表示領域がほぼ連続するように連接し、その境界部を両面に前記反射部が設けられた仕切部材により仕切られているとともに、前記反射板の表示領域側の端部が該表示領域の表面より内側に位置していることを特徴とする表示装置を提案する。
【０００８】
なお、本発明において、前記光遮断検出装置が前記発光部とそれと組みをなす受光部が前記表示領域の異なる位置に２組以上設けられていると、効果的である。
さらに、本発明において、前記光遮断検出装置が前記発光部からの光を、前記表示領域上を進行するに従って拡大する光学系を有すると、効果的である。
【０００９】
さらにまた、本発明において、前記光遮断検出装置が前記発光部からの光を前記表示領域上で走査する光走査手段を有すると、効果的である。
さらにまた、本発明において、前記表示領域に対して立てる方向に配置した光透過性のカバー部材を有し、該カバー部材の表示領域側の端部が該表示領域の表面より内側に位置していると、効果的である。
【００１０】
また、上記の目的を達成するため、本発明は、矩形に形成され、文字および画像等を表示する表示領域と、前記表示領域に沿って光を出射する発光部と、該発光部と前記表示領域を介して対向配置された反射部と、該反射部で反射した光を受光する受光部とを有する光遮断検出装置を備えた表示装置において、複数台の前記光遮断検出装置を、互いの表示領域がほぼ連続するように連接し、その境界部を両面に前記反射部が設けられた仕切部材により仕切られているとともに、前記表示領域に対して立てる方向に配置した光透過性のカバー部材とを有し、該カバー部材の表示領域側の端部が該表示領域の表面より内側に位置していることを特徴とする表示装置を提案する。
なお、本発明は、前記光遮断検出装置が前記発光部とそれと組みをなす受光部が前記表示領域の異なる位置に２組以上設けられていると、効果的である。
さらに、本発明は、前記光遮断検出装置が前記発光部からの光を、前記表示領域上を進行するに従って拡大する光学系を有すると、効果的である。
さらにまた、本発明は、前記光遮断検出装置が前記発光部からの光を前記表示領域上で走査する光走査手段を有すると、効果的である。
【００１１】
【発明の実施の形態】
以下、本発明の実施の形態を添付図面に従って説明する。
図１は、光遮断検出装置の一例を示す概略構成図である。
【００１２】
図１において、本実施形態における光遮断検出装置１は、パーソナルコンピュータやワークステーション等のコンピュータに接続されるとともに、コンピュータのディスプレイの前面に装着して使用可能なものである。図１において、符号ｄは表示領域であるコンピュータのディスプレイを示している。光遮断検出装置１は、デイスプレイｄのサイズに対応させて、手書きにより文字や図形を入力する等の座標入力を行うための入力領域２の範囲を規定する筐体１ａと、筐体１ａの下方両端部に設けられ、入力領域２の全域に行き渡るような例えば扇形状の拡大する光を出射し、かつ筐体１ａの下部を除く周辺部に設けられた反射部としての再帰性反射部材４によって反射された光を受光する受発光装置３Ｌおよび３Ｒと、受発光装置３Ｌおよび３Ｒで受光した光に基づいて、入力領域２の光が遮られた場合に、その位置を特定する処理を実行する図示しない制御装置（図４および図５参照）とを備えている。なお、ここでは受発光装置３Ｌおよび３Ｒから扇形状の光を出射することにするが、拡大して入力領域２の全域に行き渡るような光であれば扇形状でなくても良い。
【００１３】
図１に示す受発光装置３Ｌおよび３Ｒは、それぞれカバー３ａ内に設けられ、互いに距離ｗの間隔を空けて筐体１ａに固定配置されている。以下の説明においては、説明の便宜上、受発光装置３Ｌから出射される扇形状の光がＬ１，Ｌ２，Ｌ３，・・・，Ｌｍからなる光の束で構成されているものと仮定する。同様に、受発光装置３Ｒから出射される扇形状の光がＲ１，Ｒ２，Ｒ３，・・・，Ｒｍからなる光の束で構成されているものと仮定する。また、以下では、Ｌ１，Ｌ２，Ｌ３・・・，ＬｍおよびＲ１，Ｒ２，Ｒ３，・・・，Ｒｍの光をそれぞれプローブ光と呼ぶことにする。このように、受発光装置３Ｌおよび３Ｒは、これらのプローブ光の束からなる扇形状の光をディスプレイｄの表面に沿って平行に出射するものとする。
【００１４】
再帰性反射部材４は、後に詳述するように、筐体１ａの内側であって、筐体１ａの下部を除く周辺部に設けられている。この再帰性反射部材４は、例えば円錐形状のコーナーキューブを多数配列して形成されたものであり、入射したプロープ光を同一光路に向けで反射する特性を有している。例えば、受発光装置３Ｌから出射されたプローブ光Ｌ３は、再帰性反射部材４によって反射される結果、再び同一光路を通って左側受発光装置３Ｌに向かう再帰性反射光Ｌ３’となる。
【００１５】
つぎに、受発光装置３Ｌおよび３Ｒの構成について具体的に説明する。図２は受発光装置３Ｌおよび３Ｒのいずれか一方を示す概略構成図である。なお、図２はＸ−Ｚ方向を主体にして受発光装置３Ｌおよび３Ｒを示す図であるが、図中の二点鎖線で示す部分は同一の構成要素を別方向（Ｘ−Ｙ方向またはＹ−Ｚ方向）から見た図である。
【００１６】
図２に示すように、受発光装置３Ｌおよび３Ｒは、それぞれ発光部５と受光部６とを備えている。発光部５は、スポットをある程度絞ることの可能なＬＤ，ＬＥＤ等の光源７を備えている。この光源７からディスプレイｄに対して垂直に出射された光は、一方向の倍率のみを変更可能なシリンドリカルレンズ８によってＸ方向にコリメートされる。シリンドソカルレンズ８によってＸ方向にコリメートされた光は、シリンドリカルレンズ８とは曲率の分布が直交する２枚のシリンドリカルレンズ９および１０によりＹ方向に対して集光される。そして、シリンドリカルレンズ群（シリンドリカルレンズ８，９および１０）を通過した光は、スリット板１１に設けられたＹ方向に狭くＸ方向に細長いスリットに入射される。このスリットは、二次光源１２を形成するものである。二次光源１２から出射された光は、ハーフミラー１３で反射され、ディスプレイｄの表面に対して平行かつ二次光源１２を中心とした扇形状の光となって、入力領域２を進行する。換言すれば、扇形状の光が入力領域２を形成する。なお、シリンドリカルレンズ群（シリンドリカルレンズ８，９および１０）とスリット板１１は、扇形状の光を形成する集光光学系を構成する。
【００１７】
扇形状となって入力領域２を進行した光は、再帰性反射部材４で再帰的に反射され、再び同一光路を辿ってハーフミラー１３に戻ることになる。ハーフミラー１３に戻った再帰反射光は、ハーフミラー１３を透過して受光部６に入射する。受光部６に入射した再帰反射光は、集光ンンズであるシリンドリカルレンズ１４を通って線状にされた後、シリンドリカルンンズ１４から距離ｆ（ｆはシリンドリカルレンズ１４の焦点距離）の間隔を空けて設けられた受光素子１５において、プローブ光毎に異なる位置で受光される。
【００１８】
そして、受光素子１５は、再帰反射光（プローブ光）の光強度分布に基づいた電気信号を生成し、後述するコントローラ1６（図４および図５参照）に人力する。なお、図２に示すように、二次光源１２とハーフミラー１３との距離Ｄと、シリンドリカルレンズ１４とハーフミラー１３との距離Ｄとが等しくなるように光学系が構成されている。この構成において、再帰性反射部材４で反射された再帰反射光は、Ｚ軸方向ではシリンドリカルレンズ１４の作用を受レナず、コリメートされたまま受光素子１５に到達する。また、再帰反射光は、ディスプレイ面と平行方向では、シリンドリカルレンズ１４の中心に集光するように伝搬し、その結果、シリンドリカルレンズ１４の作用を受けてシリンドリカルレンズ１４の焦点面に設置された受光素子１５上に結像する。これにより、受光素子１５上に、再帰反射光の有無に応じて光強度の分布が形成される。すなわち、再帰反射光を指やペン等の指示物体で遮った場合、受光素子１５上の遮られた再帰反射光に相当する位置に光強度が弱い点（後述するピーク点）が生じる。
【００１９】
また、図２で示したシリンドリカルレンズ１４に代えて、同心円上に同じ曲率を持つ通常のレンズを用いることにしても良い。この湯合の構成例を図３に示す。この構成において、再帰性反射部材４で反射された再帰反射光は、Ｚ軸方向では集光レンズ１４ａの作用を受けて、コリメートされた状態から集光されて受光素子１５に到達する。また、再帰反射光は、ディスプレイ面と平行方向では集光レンズ１４ａの中心に集光するように伝搬し、その結果、集光レンズ１４ａの作用を受けて集光レンズ１４ａの焦点面に設置された受光素子１５上に結像する。これにより、受光素子１５上に、Ｙ軸に平行な細い線状の光強度の分布が、再帰反射光の有無に応じて形成される。すなわち、再帰反射光を指やペン等の指示物体で遮った場合、受光素子１５上の遮られた再帰反射光に相当する位置に光強度が弱い点（後述するピーク点）が生じる。
【００２０】
図４は、受光素子１５から再帰反射光の光強度分布に基づいた電気信号が入力され、入力領域２を進行する光が遮られた位置の座標を特定する処理を実行するコントコーラのブロック構成図である。図４において、受発光袋置３Ｌおよび３Ｒ以外の各ブロックでコントローラ１６が構成される。図４に示すコントローラ１６は、各部を集中的に制御するＣＰＵ２２と、制御プログラム等の固定的データを格納するＲＯＭ２３と、可変的なデータを格納するＲＡＭ２４と、受発光装置３Ｌおよび３Ｒに設けられた光源７の発光時間間隔を制御するタイマ２５と、ピーク検出器１８と、ｘｙ演算器１９と、コントローラ１６をコンピュータに接続するためのインターフェース（Ｉ／Ｆ）２０と、上記各部を接続するバス２１と、を備えている。なお、ＲＡＭ２４には、可変的なデータを書換え自在に格納する機能を利用して、波形メモリ１７が設けられている。
【００２１】
続いて、コントローラ１６において実行される処理について説明する。図５は、コントローラ１６によって実行される処理の説明図である。受光素子１５から電気信号として出力された光強度分布を表す波形データは、ＲＡＭ２４の波形メモリ１７Ｌおよび１７Ｒに格納される。ピーク検出器１８Ｌおよびｌ８Ｒは、波形メモリ１７Ｌおよび１７Ｒに格納された波形データのピーク点の位置を検出する処理を実行する。
【００２２】
図６は、ピーク点の説明図である。例えば、受発光装置３Ｌから出射されたプローブ光Ｌ１，Ｌ２，Ｌ３，・・・，Ｌｎ−１，Ｌｎ，Ｌｎ＋１，・・・，Ｌｍの束で構成される扇形状の光において、ｎ番目のプローブ光Ｌｎがユーザの指やペン等の指示物体Ａによって遮られると、そのプローブ光Ｌｎは再帰性反射部材４に到達することはない。したがって、プローブ光Ｌｎは受発光装置３Ｌの受光素子１５によって受光されることはないため、プローブ光Ｌｎに対応する受光素子１５上の位置ＤｎＬが光強度の弱い領域（暗点）となる。その結果、受光素子１５から出力される光強度の波形にピーク点が出現することになる。ピーク検出器１８Ｌおよび１８Ｒは、例えば平滑化微分等の波形処理演算手法を用いることにより、光強度の波形のピーク点となった暗点の位置Ｄｎ（受発光装置３Ｌの受光素子１５上ではＤｎＬ、受発光装置３Ｒの受光素子１５上ではＤｎＲ）をそれぞれ検出する。
【００２３】
ピーク検出器１８Ｌおよび１８Ｒによって波形データからピーク点が検出された場合、ｘｙ演算器１９は、波形データにピーク点を出現させた指示物体Ａの位置座標（ｘ，ｙ）を算出する。
【００２４】
続いて、ｘｙ演算器１９において、指示物体Ａの位置座標（ｘ，ｙ）を算出する処理について具体的に説明する。図６に示したように、指示物体Ａによって遮られた受発光装置３Ｌからのプローブ光の出射／入射角θｎＬ（受発光装置３Ｒからのプローブ光ではθｎＲ）を、以下の式を用いて算出することができる。
【００２５】
θnL＝arctan （DnL/f）        ・・・・（１）
θnR＝arctan （DnR/f）        ・・・・（２）
ただし、ＤｎＬはピーク検出器１８Ｌで検出された受発光装置３Ｌにおける受光素子１５上の暗点の位置、ＤｎＲはピーク検出器１８Ｒで検出された受発光装置３Ｒにおける受光素子１５上の暗点の位置、ｆはシリンドリカルレンズ１４（図２）または集光レンズ１４ａ（図３）と受光素子１５の間の距離で、それぞれのレンズの焦点距離に相当する。
【００２６】
また、（１）式で得たθｎＬを用いることにより、指示物体Ａと受発光装置３Ｌとの角度θＬ（図７参照）を以下の式で算出することができる。
θＬ ＝ｇ（θｎL）                  ・・・・（３）
【００２７】
ただし、ｇは指示物体Ａと受発光装置３Ｌとの幾何学的な相対位置関係の変換係数である。
さらに、（２）式で得たθｎＲを用いることにより、指示物体Ａと受発光装置３Ｒとの角度θＲ（図７参照）を以下の式で算出することができる。
【００２８】
θＲ ＝ｈ （θｎR）                  ・・・・（４）
ただし、ｈは指示物体Ａと受発光装置３Ｒとの幾何学的な相対位置関係の変換係数である。
【００２９】
一方、指示物体Ａの位置座標（ｘ，ｙ）は、三角測量の原理により、以下の式を用いて算出される。
ｘ＝ｗ tanθＲ／（tanθＬ＋tanθＲ）            ・・・・（５）
【００３０】
ｙ＝ｗ tanθＬ・tanθＲ／（tanθＬ＋ tanθＲ）  ・・・・（６）
ただし、ｗは受発光装置３Ｌおよび３Ｒ間の距離である（図１および図７参照）。
上記（１）， （２）， （３）， （４）， （５）および（６）式により、指示物体Ａの位置座標（ｘ，ｙ）は、ＤｎＬ，ＤｎＲの関数として算出される。すなわち、受発光装置３Ｌにおける受光素子１５上の暗点の位置ＤｎＬ，受発光装置３Ｒにおける受光素子１５上の暗点の位置ＤｎＲを検出すれば、指示物体Ａの位置座標（ｘ，ｙ）が検出されることになる。なお、（１）， （２）， （３）， （４）， （５）および（６）式は制御プログラムの一部として予めＲＯＭ２３に格納しておくことが可能である。
【００３１】
コントローラ１６において、前述したような処理で求めた指示物体Ａの位置座標（ｘ，ｙ）は、Ｉ／Ｆ２０を介してコンピュータに入力される。
以上の構成を有する光遮断検出装置１全体の動作について、図７を参照しつつ具体的に説明する。まず、図７に示すように、光遮断検出装置ｌの入力領域２を介してディスプレイｄ上の適当な位置（ｘ，ｙ）をユーザが指やペン等の指示物体Ａで指し示したものとする。その結果、受発光装置３Ｌおよび３Ｒからそれぞれ出射されたブロープ光ＬｎおよびＲｎが指示物体Ａによって遮られることになる。したがって、指示物体Ａによって遮られたプローブ光ＬｎおよびＲｎは、再帰性反射部材４に到達することはなく、また、プローブ光Ｌｎ，Ｒｎの再帰反射光は受発光装置３Ｌおよび３Ｒの各受光素子１５によって受光されることはない。これに応じて、各受光素子１５上の所定の位置（ＤｎＬ，ＤｎＲ）に光強度の弱い領域（暗点）が発生することになる（図６参照）。各受光素子１５から出力された光強度に応じた波形データは、波形メモリ１７Ｌおよび１７Ｒに格納される。
【００３２】
ピーク検出器１８Ｌおよび１８Ｒは、波形メモリ１７ＬおよびＩ７Ｒ中の波形データに基づいて、各受光素子１５上の暗点（ＤｎＬ，ＤｎＲ）を波形データ中のピーク点として検出する。そして、ｘｙ演算器１９は、ピーク検出器１８Ｌおよび１８Ｒによって検出された各受光素子１５上の暗点（ＤｎＬ，ＤｎＲ）に基づいて、指示物体Ａで指し示された位置座標（ｘ，ｙ）を算出する。こうして得られた位置座標（ｘ，ｙ）は、Ｉ／Ｆ２０を介してコンピュータに入力され、指示物体Ａによるユーザの指示に応じた処理が実行される。
【００３３】
このように、実施の形態１に係る光遮断検出装置１によれば、入力領域中の光の一部を指やペン等の任意の指示物体Ａで遮るだけで、所望の入力操作を行うことができるため、反射部材が設けられた特殊なペンを用いる必要をなくすことができる。
【００３４】
ところで、上記した光遮断検出装置１を備えた電子黒板等において、表示画面の大きなものも要望されている。しかし、光遮断検出装置１は要望に答えられるような巨大画面が存在し、それをディスプレイｄとして用いたとしても、発光部５から出射した光は再帰反射部材４に反射して受光部６に戻って来るまでに減衰し、光遮断検出装置の検出精度が低下する。また、巨大画面のディスプレイｄは例え存在したとしても極めて高価になってっしまう。そこで、本発明ではかかる問題を解消するためには、次のように措置を講じている。
【００３５】
図８において、本実施形態の表示装置は２台の光遮断検出装置１Ａ，１Ｂをその各ディスプレイｄＡ，ｄＢの一辺が互いに近接させ、ほぼ連続するように並列配置して構成されている。そして、その近接する辺３０には図９に示すように、それぞれのディスプレイｄＡ，ｄＢに対向する面に再帰反射部材４Ａ、４Ｂを設けた仕切部材３１によって仕切られている。また、個々の光遮断検出装置１Ａにおいて、それぞれ辺３０に対向する辺３２Ａ，３２Ｂの両端には上記した受発光装置３Ａ，３Ｂが設けられている。なお、辺３０に隣り合う辺にも再帰反射部材４Ａ，４Ｂが設けられている。
【００３６】
このように構成された表示装置は、表示領域が２倍の大きさになり、しかも光遮断検出装置１Ａ，１Ｂは個々のディスプレイｄ上を遮られた位置の座標を検出するので、表示領域が倍増しても光の減衰による検出精度の低下を防止することができる。さらに、光遮断検出装置１Ａ，１Ｂは両面に再帰反射部材４Ａ、４Ｂを設けた仕切部材３１によって仕切っているだけなので、その境目の違和感も最小限に抑えられる。
【００３７】
また、本願発明者は再帰反射部材４がその設置した状態によっては光遮断検出装置１の検出精度を低下させることがあることを見出した。これについて説明すると、再帰反射部材４はディスプレイｄの面に突き立てて設けた場合、再帰反射部材４の突き立て側端部を通過する光が屈折し、その屈折光によって検出精度が低下してしまうことがあった。
【００３８】
そこで、本発明の図９に示す実施形態では再帰反射部材４のディスプレイ面側端部４１を、その面よりも内部側、すなわち図９では下側に位置するように配置している。そして、本実施形態では再帰反射部材４を両ディスプレイｄＡ，ｄＢの端縁より外側に配置することで、端部４１をディスプレイ面よりも内部側に位置させられる。
【００３９】
このように構成すると、光遮断位置検出のための光が再帰反射部材４の端部４１を通過することがないので、上記した屈折光によって検出精度が低下することを防止できる。
【００４０】
また、ディスプレイｄの表面には図１０に示すように、保護シート材としてのスクリーンシート４２を貼着することもできる。このスクリーンシート４２を使用すると、ディスプレイｄの表面がガラスの場合、割れても飛び散らない、さらにディスプレイに集中応力がかからない、視差がない等の利点を有するものである。このようにスクリーンシート４２を貼着した場合、再帰反射部材４はその端部４１をディスプレイ面に合わせてスクリーンシート４２の表面より内側に位置させると、実質上ディスプレイｄの表面より内側に位置させたことになり、上記した屈折光が生じないので、検出精度が低下することを防止できる。
【００４１】
以上、本発明の光遮断検出装置の実施形態について説明したが、光遮断検出装置の基本構成は上記実施形態のものに限定されるものではなく、他の構成の光遮断検出装置についても適用することができるものである。以下に、上記した実施形態が適用可能な光遮断検出装置について簡単に説明する。
【００４２】
図１１に示す光遮断検出装置６１は、タッチパネル６２の異なる位置に配置され、タッチパネル６２にほぼ平行に、かつ、設置位置を中心に回転しつつ光線を出射すると共に、タッチパネル６２に設けられた反射部材６３で再帰的に反射された光線を受光する光走査手段としてのライトスキャナ６４ａおよび６４ｂと、タッチパネル６２上の光線が遮られた場合、ライトスキャナ６４ａおよび６４ｂにおける受光結果に基づいて遮光点の座標を演算する演算部６５とを備えたものである。この光遮断検出装置６１においても反射部材６３に入射される光を規制することや、また、カバー部材の端部をタッチパネル６２の面より内側に配置することが検出精度を低下等において有効である。なお、図１１の光遮断検出装置において、光走査手段としてはライトスキャナ６４ａおよび６４ｂの代りに、レーザーダイオードからのレーザー光をポリゴンミラーによって走査するものを用いたものであってもよい。
【００４３】
図１２に示す光遮断検出装置７１は、タッチパネル７２の外周の隣合う２辺に配列された複数の受発光装置７１を備え、他の２辺に反射部材７３を配し、指示物体Ａでタッチパネル７２の任意の位置が指し示された場合の受光結果から、指示物体Ａの位置座標を求めるというものである。
【００４４】
かかる光遮断検出装置６１、７１においても２台並べ、互いに反射部材を設けた辺で近接させて両面に反射部材を設けた仕切部材３１で仕切ることることで、表示領域を所望の大きさに設定することができる。なお、光遮断検出装置１，６１，７１は所望する表示領域の大きさに応じて複数台並べることができ、図１３はその一例として４台の光遮断検出装置１，６１，７１を使用した例である。
【００４５】
本発明に係る表示装置は、指先やペンで書いた文字や図形等を、タッチ面を介して入力する２台の光遮断検出装置を単独のコンピュータと制御することで大画面の表示装置が得られる。
【００４６】
【発明の効果】
本発明の構成によれば、複数の光遮断検出装置を並べて使用するので、表示領域を巨大化できるとともに、光遮断検出は分割されて行うので、光減衰に起因する検出性能の低下等も防止することができる。
【００４７】
さらに、本発明の構成によれば、反射部材の表領域側端部による検出性能の劣化を確実に回避することができる。さらに、本発明は光が遮断された位置の座標を検出する方式を問わず、種々の方式の光遮断検出装置においてそれぞれ有効である。
【図面の簡単な説明】
【図１】本発明に係る表示装置の概略構成を示す正面図である。
【図２】図１に示す受発光装置の概略構成図である。
【図３】図１に示す受発光装置の他の構成例を示す概略構成図である。
【図４】本発明に係る表示装置を構成するコントローラのブロック図である。
【図５】図４に示すコントローラによって実行される処理の説明図である。
【図６】図４に示すコントローラによる処理によって検出されるピーク点の説明図である。
【図７】本発明に係る表示装置の変形例を示す概略構成図である。
【図８】本発明に係る表示装置の一実施形態を示す概略構成図である。
【図９】仕切部材を示す断面説明図である。
【図１０】仕切部材の他の設置例を示す断面説明図である。
【図１１】本発明が適用可能な他の光遮断検出装置の概略構成図である。
【図１２】本発明が適用可能な他の光遮断検出装置の概略構成図である。
【図１３】本発明のさらに他の実施形態を示す概略構成図である。
【符号の説明】
１，６１，７１  光遮断検出装置
３  受発光装置
４  再帰反射部材
５  発光部
６  受光部
３１  仕切部材
４１  再帰反射部材の端部
４２  スクリーンシート
６３，７３  反射部材
【図１】
0004167789.tif 000002
【図２】
0004167789.tif 000003
【図３】
0004167789.tif 000004
【図４】
0004167789.tif 000005
【図５】
0004167789.tif 000006
【図６】
0004167789.tif 000007
【図７】
0004167789.tif 000008
【図８】
0004167789.tif 000009
【図９】
0004167789.tif 000010
【図１０】
0004167789.tif 000011
【図１１】
0004167789.tif 000012
【図１２】
0004167789.tif 000013
【図１３】
0004167789.tif 000014